(57)【要約】【課題】ネットワーク接続機器の動作の安定性の向上及びソフトウェアのインストール作業の負担軽減を実現できる機器管理装置、ネットワーク接続機器、及びネットワークシステムを提供する。【解決手段】機器管理装置１１０は、ソフトウェアの組み合わせの優先度を含む連携情報を保持し、複数のネットワーク接続機器１０１，１０２のそれぞれに割り当てられた機器情報及び現状のソフトウェアを特定するソフトウェア情報を取得し、現状のソフトウェアの組み合わせより優先度の高いソフトウェアの組み合わせが連携情報に存在する場合には、現状のソフトウェアの組み合わせよりも優先度の高いソフトウェアの組み合わせが連携情報に存在することを通知する信号を発信する。【選択図】        図１
2004252704.tif 000002
【特許請求の範囲】
【請求項１】
連携して動作する複数のネットワーク接続機器を管理する機器管理装置において、
前記複数のネットワーク接続機器のそれぞれにインストールされ得るソフトウェアの組み合わせの優先度を含む連携情報を保持し、
前記複数のネットワーク接続機器のそれぞれに割り当てられた機器情報及び前記複数のネットワーク接続機器のそれぞれにインストールされている現状のソフトウェアを特定するソフトウェア情報を取得し、
前記現状のソフトウェアの組み合わせより優先度の高いソフトウェアの組み合わせが前記連携情報に存在する場合には、前記現状のソフトウェアの組み合わせよりも優先度の高いソフトウェアの組み合わせが前記連携情報に存在することを通知する信号を発信する
ことを特徴とする機器管理装置。
【請求項２】
前記連携情報に含まれる前記優先度が、前記複数のネットワーク接続機器をより安定的に動作させることができるソフトウェアの組み合わせの順位で示されることを特徴とする請求項１に記載の機器管理装置。
【請求項３】
前記連携情報に含まれる前記優先度が、ユーザの操作により設定されることを特徴とする請求項１又は２のいずれかに記載の機器管理装置。
【請求項４】
前記機器情報が、前記ネットワーク接続機器の種類、及び、前記ネットワーク接続機器のそれぞれに固有のアドレスを含むことを特徴とする請求項１から３までのいずれかに記載の機器管理装置。
【請求項５】
前記ソフトウェア情報が、ソフトウェアの種類、及び、同じ種類のソフトウェアの改定段階を示すバージョンを含むことを特徴とする請求項１から４までのいずれかに記載の機器管理装置。
【請求項６】
前記機器情報及び前記ソフトウェア情報の取得が、機器管理装置の電源投入直後に実行されることを特徴とする請求項１から５までのいずれかに記載の機器管理装置。
【請求項７】
前記機器情報及び前記ソフトウェア情報の取得が、一定時間間隔毎に実行されることを特徴とする請求項１から６までのいずれかに記載の機器管理装置。
【請求項８】
前記機器情報及び前記ソフトウェア情報の取得が、新たにネットワーク接続されたネットワーク接続機器からの接続通知信号を受信したときに実行されることを特徴とする請求項１から７までのいずれかに記載の機器管理装置。
【請求項９】
前記ネットワーク接続機器のための新規又は更新インストール用ソフトウェアを保持し、
前記現状のソフトウェアの組み合わせよりも優先度の高いソフトウェアの組み合わせが前記連携情報に存在することを通知する信号を受信したネットワーク接続機器からの新規又は更新インストール用ソフトウェアのダウンロード要求信号を受信したときに、当該ネットワーク接続機器に対する新規又は更新インストール用ソフトウェアのダウンロードを実行する
ことを特徴とする請求項１から８までのいずれかに記載の機器管理装置。
【請求項１０】
前記ネットワーク接続機器のための新規又は更新インストール用ソフトウェアの保持が、外部情報記録媒体に記録された新規又は更新インストール用ソフトウェアの複写により行われることを特徴とする請求項９に記載の機器管理装置。
【請求項１１】
前記ネットワーク接続機器のための新規又は更新インストール用ソフトウェアの保持が、新規又は更新インストール用ソフトウェアを保持する前記ネットワーク接続機器からのダウンロードにより行われることを特徴とする請求項９に記載の機器管理装置。
【請求項１２】
インストールされているソフトウェアに基づいて動作し、前記ソフトウェアの更新機能を備えたネットワーク接続機器において、
ネットワーク接続された機器管理装置からの問合せ信号を受信したときに、前記ネットワーク接続機器に割り当てられた機器情報及び前記ネットワーク接続機器にインストールされている現状のソフトウェアを特定するソフトウェア情報を通知する信号を発信し、
前記機器管理装置から現状のソフトウェアよりも優先度の高いソフトウェアが前記連携情報に存在することを通知する信号を受信したときに、新規又は更新インストール用ソフトウェアのダウンロードを実行する
ことを特徴とするネットワーク接続機器。
【請求項１３】
ネットワークに接続されたときに、自身がネットワークに接続されたことを通知する接続通知信号を発信することを特徴とする請求項１２に記載のネットワーク接続機器。
【請求項１４】
ネットワークと、
前記ネットワークに接続され、前記請求項１から１０までのいずれかに記載の機器管理装置と、
前記ネットワークに接続され、前記請求項１１又は１２のいずれかに記載のネットワーク接続機器と
を有することを特徴とするネットワークシステム。
【請求項１５】
連携して動作する複数のネットワーク接続機器を管理するネットワーク接続機器の管理方法であって、
前記複数のネットワーク接続機器のそれぞれにインストールされ得るソフトウェアの組み合わせの優先度を含む連携情報を保持し、
前記複数のネットワーク接続機器のそれぞれに割り当てられた機器情報及び前記複数のネットワーク接続機器のそれぞれにインストールされている現状のソフトウェアを特定するソフトウェア情報を取得し、
前記現状のソフトウェアの組み合わせより優先度の高いソフトウェアの組み合わせが前記連携情報に存在する場合には、前記現状のソフトウェアの組み合わせよりも優先度の高いソフトウェアの組み合わせが前記連携情報に存在することを通知する信号を発信する
ことを特徴とするネットワーク接続機器の管理方法。
【請求項１６】
連携して動作する複数のネットワーク接続機器を管理する処理を機器管理装置に実行させるプログラムであって、
前記処理が、
前記複数のネットワーク接続機器のそれぞれにインストールされ得るソフトウェアの組み合わせの優先度を含む連携情報を保持する処理と、
前記複数のネットワーク接続機器のそれぞれに割り当てられた機器情報及び前記複数のネットワーク接続機器のそれぞれにインストールされている現状のソフトウェアを特定するソフトウェア情報を取得する処理と、
前記現状のソフトウェアの組み合わせより優先度の高いソフトウェアの組み合わせが前記連携情報に存在する場合には、前記現状のソフトウェアの組み合わせよりも優先度の高いソフトウェアの組み合わせが前記連携情報に存在することを通知する信号を発信する処理と
を含むことを特徴とするネットワーク接続機器の管理プログラム。
【請求項１７】
連携して動作する複数のネットワーク接続機器を管理する処理を機器管理装置に実行させるプログラムを記録した記録媒体であって、
前記処理が、
前記複数のネットワーク接続機器のそれぞれにインストールされ得るソフトウェアの組み合わせの優先度を含む連携情報を保持する処理と、
前記複数のネットワーク接続機器のそれぞれに割り当てられた機器情報及び前記複数のネットワーク接続機器のそれぞれにインストールされている現状のソフトウェアを特定するソフトウェア情報を取得する処理と、
前記現状のソフトウェアの組み合わせより優先度の高いソフトウェアの組み合わせが前記連携情報に存在する場合には、前記現状のソフトウェアの組み合わせよりも優先度の高いソフトウェアの組み合わせが前記連携情報に存在することを通知する信号を発信する処理と
を含むことを特徴とする記録媒体。
【発明の詳細な説明】
【０００１】
【発明の属する技術分野】
本発明は、ネットワーク上で連携して動作する複数のネットワーク接続機器を管理する機器管理装置、この機器管理装置により管理されるネットワーク接続機器、及びこれらを含むネットワークシステムに関する。
【０００２】
【従来の技術】
監視用カメラ、この監視用カメラで撮影された映像信号を記録・再生するタイムラプス記録再生装置（例えば、特許文献１参照）、及び、これらの装置を管理するパーソナルコンピュータ（ＰＣ）をネットワーク接続することによって構成された映像監視システムが実用化されている。監視用カメラ及びタイムラプス記録再生装置のそれぞれは、インストールされたソフトウェア（「ファームウェア」又は「ソフトウェア」）に基づいて様々な監視動作をする。
【０００３】
【特許文献１】
特開平１１−１３６６６５号公報（図１）
【０００４】
【発明が解決しようとする課題】
しかしながら、タイムラプス記録再生装置等のようなネットワーク接続機器にソフトウェアを新規又は更新インストールする場合には、ソフトウェアのインストール作業をネットワーク接続機器のそれぞれについて１台ずつ繰り返さなければならなかった。このため、ネットワーク接続機器の数の多い大規模なシステムにおけるソフトウェアのインストールは、管理者にとっては時間及び労力を要する煩わしい作業であるという問題があった。
【０００５】
また、監視用カメラとタイムラプス記録再生装置のように互いに連携して動作するネットワーク接続機器においては、各ネットワーク接続機器にインストールされているソフトウェアの組み合わせによっては（例えば、監視用カメラにインストールされているソフトウェアのバージョンが古く、タイムラプス記録再生装置にインストールされているソフトウェアのバージョンが新しく、ソフトウェア同士の相性が悪い場合）、各ネットワーク接続機器の動作の安定性が低下する、即ち、動作不良の発生頻度が上昇するという問題があった。
【０００６】
そこで、本発明は上記したような従来技術の課題を解決するためになされたものであり、その目的は、ネットワーク接続機器の動作の安定性の向上を実現できる機器管理装置、ネットワーク接続機器、及びネットワークシステムを提供することである。
【０００７】
また、本発明の他の目的は、ソフトウェアのインストール作業の負担軽減を図ることができる機器管理装置、ネットワーク接続機器、及びネットワークシステムを提供することである。
【０００８】
【課題を解決するための手段】
本発明の機器管理装置は、連携して動作する複数のネットワーク接続機器を管理する装置であって、前記複数のネットワーク接続機器のそれぞれにインストールされ得るソフトウェアの組み合わせの優先度を含む連携情報を保持し、前記複数のネットワーク接続機器のそれぞれに割り当てられた機器情報及び前記複数のネットワーク接続機器のそれぞれにインストールされている現状のソフトウェアを特定するソフトウェア情報を取得し、前記現状のソフトウェアの組み合わせより優先度の高いソフトウェアの組み合わせが前記連携情報に存在する場合には、前記現状のソフトウェアの組み合わせよりも優先度の高いソフトウェアの組み合わせが前記連携情報に存在することを通知する信号を発信することを特徴としている。
【０００９】
また、本発明のネットワーク接続機器は、インストールされているソフトウェアに基づいて動作し、前記ソフトウェアの更新機能を備えた機器であって、ネットワーク接続された機器管理装置からの問合せ信号を受信したときに、前記ネットワーク接続機器に割り当てられた機器情報及び前記ネットワーク接続機器にインストールされている現状のソフトウェアを特定するソフトウェア情報を通知する信号を発信し、前記機器管理装置から現状のソフトウェアよりも優先度の高いソフトウェアが前記連携情報に存在することを通知する信号を受信したときに、新規又は更新インストール用ソフトウェアのダウンロードを実行することを特徴としている。
【００１０】
【発明の実施の形態】
実施の形態１．
図１及び図２は、本発明の実施の形態１に係るネットワークシステム１（機器管理装置１１０及びネットワーク接続機器１０１，１０２を含む）の構成及び動作を概略的に示すブロック図である。
【００１１】
図１に示されるように、実施の形態１に係るネットワークシステム１は、互いに連携して動作する第１及び第２のネットワーク接続機器１０１，１０２と、第１及び第２のネットワーク接続機器１０１，１０２を管理する機器管理装置１１０と、第１及び第２のネットワーク接続機器１０１，１０２と機器管理装置１１０とをネットワーク接続するネットワーク（回線及びハブ等を含む）１２０とを有している。ここで、ネットワーク１２０は、例えば、イーサネット（登録商標）技術を用いたローカルエリアネットワークである。
【００１２】
第１及び第２のネットワーク接続機器１０１，１０２はそれぞれ、半導体メモリ（ＲＯＭ）やハードディスク装置等を内蔵しており、自身にインストールされているソフトウェアに基づき連携して動作する。ここで、「連携して動作する」とは、複数のネットワーク接続機器の間において制御信号やデータの送受信があり、互いに関連のある一連の動作をするという意味である。第１のネットワーク接続機器１０１は、例えば、ネットワークインターフェースを有する監視用カメラであり、第２のネットワーク接続機器１０２は、例えば、ネットワークインターフェースを有する映像記録再生装置である。ただし、第１及び第２のネットワーク接続機器１０１，１０２は、映像機器に限定されず、音響機器や放送機器等のような他の種類の機器であってもよい。また、第１及び第２のネットワーク接続機器１０１，１０２は、互いに連携して動作する装置であれば、異種の装置（例えば、監視用カメラと映像記録再生装置）であっても、同種の装置（例えば、両方とも映像記録再生装置）であってもよい。さらに、図１には、２台のネットワーク接続機器１０１，１０２が図示されているが、ネットワーク接続機器の数は３台以上であってもよい。
【００１３】
機器管理装置１１０は、例えば、パーソナルコンピュータ（ＰＣ）である。ただし、機器管理装置１１０は、ＰＣ以外の専用の制御装置であってもよく、また、制御機能を兼ね備えた映像記録再生装置（複数のネットワーク接続機器の内の１台が機器管理装置を兼ねる場合）であってもよい。また、機器管理装置１１０として汎用のＰＣを用いる場合には、このＰＣに、以下に詳細に説明する動作を実行可能にする管理用プログラムを、記録媒体から又はインターネットを経由したダウンロードにより、インストールしておく。
【００１４】
機器管理装置１１０は、半導体メモリ（ＲＯＭ）１１０ａ及びハードディスク装置（ＨＤＤ）１１０ｂ等の記憶装置を有している。記憶装置には、ネットワーク接続機器１０１，１０２を管理するための管理用プログラム及び管理用データ、並びに、ネットワーク接続機器（例えば、第１及び第２のネットワーク接続機器１０１，１０２）にインストールされる新規又は更新インストール用ソフトウェア（ダウンロード用ソフトウェア）等が保持されている。管理用データには、複数のネットワーク接続機器（例えば、第１及び第２のネットワーク接続機器１０１，１０２）のそれぞれにインストールされ得るソフトウェアの組み合わせの優先度に関する情報（即ち、連携情報）が含まれる。ここで、「ソフトウェアの組み合わせの優先度」とは、例えば、複数のネットワーク接続機器（例えば、第１及び第２のネットワーク接続機器１０１，１０２）をより安定的に連携して動作させることができるソフトウェアの組み合わせの順位の意味である。連携情報に含まれる優先度は、外部からのデータ入力（例えば、ユーザによる入力操作や、インターネット経由による装置提供会社からのデータの取り込み等）により設定される。
【００１５】
機器管理装置１１０は、第１及び第２のネットワーク接続機器１０１，１０２のそれぞれに割り当てられた機器情報及び第１及び第２のネットワーク接続機器１０１，１０２のそれぞれにインストールされている現状のソフトウェアを特定するソフトウェア情報を取得し、現状のソフトウェアの組み合わせより優先度の高いソフトウェアの組み合わせが連携情報に存在する場合には、現状のソフトウェアの組み合わせよりも優先度の高いソフトウェアの組み合わせが連携情報に存在することを通知（即ち、ソフトウェアの更新を勧めることを通知）する信号を発信する。ここで、機器情報には、ネットワーク接続機器の種類（例えば、機種、型式等）、及び、ネットワーク接続機器のそれぞれに固有のアドレス（例えば、ＩＰ（Ｉｎｔｅｒｎｅｔ  Ｐｒｏｔｏｃｏｌ）アドレス）を含む。また、ソフトウェア情報には、ソフトウェアの種類、及び、同じ種類のソフトウェアの改定段階を示すバージョン（ｖｅｒｓｉｏｎ）を含む。
【００１６】
次に、図１及び図２に基づいて、実施の形態１に係るネットワークシステム１、機器管理装置１１０、並びに、第１及び第２のネットワーク接続機器１０１，１０２の動作を説明する。
【００１７】
図１に示されるように、第１のネットワーク接続機器１０１の機種は“ＨＷ１”であり、ＩＰアドレスは“ＡＤ１００”であり、この場合の機器情報を“ＨＷ１−ＡＤ１００”と表記する。また、第１のネットワーク接続機器１０１にインストールされているソフトウェアの種類は“ＦＷ１”であり、ソフトウェアのバージョンは“ＶＥＲ１”であり、この場合のソフトウェア情報を“ＦＷ１−ＶＥＲ１”と表記する。
【００１８】
また、図１に示されるように、第２のネットワーク接続機器１０２の機種は“ＨＷ２”であり、ＩＰアドレスは“ＡＤ２００”であり、この場合の機器情報を“ＨＷ２−ＡＤ２００”と表記する。また、第２のネットワーク接続機器１０２にインストールされているソフトウェアの種類は“ＦＷ２”であり、ソフトウェアのバージョンは“ＶＥＲ２”であり、この場合のソフトウェア情報を“ＦＷ２−ＶＥＲ２”と表記する。
【００１９】
また、図１に示されるように、機器管理装置１１０は、連携情報を保持するＲＯＭ１１０ａ及びダウンロード用ソフトウェアを保存するＨＤＤ１１０ｂを有する。また、機器管理装置１１０は、制御回路、通信回路、入力部、及びモニター等のように、第１及び第２のネットワーク接続機器１０１，１０２の管理に用いる各種構成を装備している。図１に示されるように、機器管理装置１１０が保持する連携情報は、最も優先度が高い優先度１のソフトウェアの組み合わせとして、「“ＦＷ１−ＶＥＲ２”＋“ＦＷ２−ＶＥＲ２”」を設定しており、優先度が１段階低い優先度２のソフトウェアの組み合わせとして、「“ＦＷ１−ＶＥＲ１”＋“ＦＷ２−ＶＥＲ２”」を設定している。なお、保持されている優先度は２段階に限定されず、３段階以上であってもよい。
【００２０】
図１に示されるように、機器管理装置１１０による機器情報及びソフトウェア情報の取得は、例えば、機器管理装置１１０の電源投入直後に実行される。ただし、機器情報及びソフトウェア情報の取得は、電源投入後の一定時間間隔毎に行ってもよい。図１に示されるように、機器情報及びソフトウェア情報の取得に際しては、機器管理装置１１０は、機器情報及びソフトウェア情報の問合せ信号を発信する（ステップ１１）。問合せ信号を受信した第１のネットワーク接続機器１０１は、機器情報“ＨＷ１−ＡＤ１００”及びソフトウェア情報“ＦＷ１−ＶＥＲ１”を機器管理装置１１０に通知し、問合せ信号を受信した第２のネットワーク接続機器１０２は、機器情報“ＨＷ２−ＡＤ２００”及びソフトウェア情報“ＦＷ２−ＶＥＲ２”を機器管理装置１１０に通知する（ステップ１２）。
【００２１】
機器管理装置１１０は、第１及び第２のネットワーク接続機器１０１，１０２にインストールされている現状のソフトウェアの組み合わせより優先度の高いソフトウェアの組み合わせが連携情報に存在するか否かを判断する。実施の形態１においては、図１に示されるように、現状のソフトウェアの組み合わせ「“ＦＷ１−ＶＥＲ１”＋“ＦＷ２−ＶＥＲ２”」よりも優先度の高いソフトウェアの組み合わせ、即ち、優先度１として図示されている「“ＦＷ１−ＶＥＲ２”＋“ＦＷ２−ＶＥＲ２”」が連携情報に存在する。この場合には、図２に示されるように、現状のソフトウェアの組み合わせよりも優先度の高いソフトウェアの組み合わせが連携情報に存在することを通知する信号（即ち、第１のネットワーク接続機器１０１に対してソフトウェアを“ＦＷ１−ＶＥＲ１”からＦＷ１−ＶＥＲ２”に更新することを勧める通知）を発信する（ステップ１３）。
【００２２】
図２に示されるように、ソフトウェアの更新を勧める通知を受信した第１のネットワーク接続機器１０１は、更新用ソフトウェア“ＦＷ１−ＶＥＲ２”のダウンロード要求を機器管理装置１１０に発信する（ステップ１４）。第１のネットワーク接続機器１０１からのダウンロード要求を受け取った機器管理装置１１０は、第１のネットワーク接続機器１０１に対するソフトウェア“ＦＷ１−ＶＥＲ２”のダウンロードを行う（ステップ１５）。このダウンロードにより、図２に示されるように、第１のネットワーク接続機器１０１にインストールされているソフトウェアは“ＦＷ１−ＶＥＲ２”になる。その結果、第１及び第２のネットワーク接続機器１０１，１０２のソフトウェアの組み合わせは、連携情報の優先度１のソフトウェアの組み合わせと同じ「“ＦＷ１−ＶＥＲ２”＋“ＦＷ２−ＶＥＲ２”」になる。なお、図２に示されるソフトウェアの更新を勧める通知（ステップ１３）の後に、自動的に更新用ソフトウェアのインストールを実行せず、ユーザによるダウンロード指示の入力操作等のような他の条件が満たされた場合に、ソフトウェアのダウンロードを実行するように構成してもよい。
【００２３】
以上説明したように、実施の形態１に係るネットワークシステム１、機器管理装置１１０、及びネットワーク接続機器１０１，１０２によれば、複数のネットワーク接続機器１０１，１０２にインストールされているソフトウェアの組み合わせが、最も優先度の高いものになるよう管理されるので、連携して動作する複数のネットワーク接続機器１０１，１０２の動作の安定性を向上させることができる。
【００２４】
また、ネットワーク接続機器１０１，１０２にネットワーク１２０を経由してソフトウェアのダウンロードを行う機能を備えたので、ネットワーク接続機器１０１，１０２に対するソフトウェアの新規又は更新インストール作業の負担軽減を図ることができる。
【００２５】
実施の形態２．
図３及び図４は、本発明の実施の形態２に係るネットワークシステム２（機器管理装置２１０及びネットワーク接続機器２０１，２０２を含む）の構成及び動作を概略的に示すブロック図である。
【００２６】
実施の形態２に係るネットワークシステム２は、ネットワーク接続機器２０１，２０２のためのダウンロード用ソフトウェアを、機器管理装置２１０以外の他の装置２１１（例えば、装置提供会社に配備され、インターネット経由で接続されたソフトウェアダウンロード用のサーバー）の記録装置（例えば、ＨＤＤ２１１ａ）に保存し、機器管理装置２１０がダウンロード用ソフトウェアを保持していない点が、上記実施の形態１のネットワークシステム１と相違する。
【００２７】
次に、図３及び図４に基づいて、実施の形態２に係るネットワークシステム２、機器管理装置２１０、第１及び第２のネットワーク接続機器２０１，２０２、並びに、他の装置２１１の動作を説明する。
【００２８】
図３に示されるように、第１のネットワーク接続機器２０１の機種は“ＨＷ１”であり、ＩＰアドレスは“ＡＤ１００”であり、この場合の機器情報を“ＨＷ１−ＡＤ１００”と表記する。また、第１のネットワーク接続機器２０１にインストールされているソフトウェアの種類は“ＦＷ１”であり、ソフトウェアのバージョンは“ＶＥＲ１”であり、この場合のソフトウェア情報を“ＦＷ１−ＶＥＲ１”と表記する。
【００２９】
また、図３に示されるように、第２のネットワーク接続機器２０２の機種は“ＨＷ２”であり、ＩＰアドレスは“ＡＤ２００”であり、この場合の機器情報を“ＨＷ２−ＡＤ２００”と表記する。また、第２のネットワーク接続機器２０２にインストールされているソフトウェアの種類は“ＦＷ２”であり、ソフトウェアのバージョンは“ＶＥＲ２”であり、この場合のソフトウェア情報を“ＦＷ２−ＶＥＲ２”と表記する。
【００３０】
また、図３に示されるように、機器管理装置２１０は、連携情報を保持するＲＯＭ２１０ａを有する。また、機器管理装置２１０は、制御回路、通信回路、入力部、及びモニター等のように、第１及び第２のネットワーク接続機器２０１，２０２の管理に用いる各種構成を装備している。ここでは、機器管理装置２１０が保持する連携情報は、最も優先度が高い優先度１のソフトウェアの組み合わせとして、「“ＦＷ１−ＶＥＲ２”＋“ＦＷ２−ＶＥＲ２”」を設定しており、優先度が１段階低い優先度２のソフトウェアの組み合わせとして、「“ＦＷ１−ＶＥＲ１”＋“ＦＷ２−ＶＥＲ２”」を設定している。
【００３１】
図３に示されるように、機器管理装置２１０による機器情報及びソフトウェア情報の取得は、例えば、機器管理装置２１０の電源投入直後に実行される。ただし、機器情報及びソフトウェア情報の取得は、電源投入後の一定時間間隔毎に行ってもよい。図３に示されるように、機器情報及びソフトウェア情報の取得に際しては、機器管理装置２１０は、機器情報及びソフトウェア情報の問合せ信号を発信する（ステップ２１）。問合せ信号を受信した第１のネットワーク接続機器２０１は、機器情報“ＨＷ１−ＡＤ１００”及びソフトウェア情報“ＦＷ１−ＶＥＲ１”を機器管理装置２１０に通知し、問合せ信号を受信した第２のネットワーク接続機器２０２は、機器情報“ＨＷ２−ＡＤ２００”及びソフトウェア情報“ＦＷ２−ＶＥＲ２”を機器管理装置２１０に通知する（ステップ２２）。
【００３２】
機器管理装置２１０は、第１及び第２のネットワーク接続機器２０１，２０２にインストールされている現状のソフトウェアの組み合わせより優先度の高いソフトウェアの組み合わせが連携情報に存在するか否かを判断する。実施の形態２においては、図３に示されるように、現状のソフトウェアの組み合わせ「“ＦＷ１−ＶＥＲ１”＋“ＦＷ２−ＶＥＲ２”」よりも優先度の高いソフトウェアの組み合わせ、即ち、優先度１として図示されている「“ＦＷ１−ＶＥＲ２”＋“ＦＷ２−ＶＥＲ２”」が連携情報に存在する。この場合には、図４に示されるように、現状のソフトウェアの組み合わせよりも優先度の高いソフトウェアの組み合わせが連携情報に存在することを通知する信号（即ち、第１のネットワーク接続機器２０１に対してソフトウェアを“ＦＷ１−ＶＥＲ１”からＦＷ１−ＶＥＲ２”に更新することを勧める通知）を発信する（ステップ２３）。
【００３３】
図４に示されるように、ソフトウェアの更新を勧める通知を受信した第１のネットワーク接続機器２０１は、更新用ソフトウェア“ＦＷ１−ＶＥＲ２”のダウンロード要求を他の装置２１１に発信する（ステップ２４）。第１のネットワーク接続機器２０１からのダウンロード要求を受け取った他の装置２１１は、第１のネットワーク接続機器２０１に対するソフトウェア“ＦＷ１−ＶＥＲ２”のダウンロードを行う（ステップ２５）。このダウンロードにより、図４に示されるように、第１のネットワーク接続機器２０１にインストールされているソフトウェアは“ＦＷ１−ＶＥＲ２”になる。その結果、第１及び第２のネットワーク接続機器２０１，２０２のソフトウェアの組み合わせは、連携情報の優先度１のソフトウェアの組み合わせと同じ「“ＦＷ１−ＶＥＲ２”＋“ＦＷ２−ＶＥＲ２”」になる。なお、図４に示されるソフトウェアの更新を勧める通知（ステップ２３）の後に、自動的に更新用ソフトウェアのインストールを実行せず、ユーザによるダウンロード指示の入力操作等のような他の条件が満たされた場合に、ソフトウェアのダウンロードを実行するように構成してもよい。
【００３４】
以上説明したように、実施の形態２に係るネットワークシステム２、機器管理装置２１０、及びネットワーク接続機器２０１，２０２によれば、実施の形態１の場合と同様に、連携して動作する複数のネットワーク接続機器２０１，２０２の動作の安定性を向上させることができ、ネットワーク接続機器２０１，２０２に対するソフトウェアの新規又は更新インストール作業の負担軽減を図ることができる。
【００３５】
なお、実施の形態２において、上記以外の点は、上記実施の形態１の場合と同じである。
【００３６】
実施の形態３．
図５及び図６は、本発明の実施の形態３に係るネットワークシステム３（機器管理装置３１０及びネットワーク接続機器３０１，３０２を含む）の構成及び動作を概略的に示すブロック図である。
【００３７】
実施の形態３においては、ネットワーク１２０に接続されていなかった第１のネットワーク接続機器３０１をネットワーク１２０に接続したときの、ネットワークシステム３、機器管理装置３１０、並びに、第１及び第２のネットワーク接続機器３０１，３０２の動作を説明する。
【００３８】
図５に示されるように、第１のネットワーク接続機器３０１の機種は“ＨＷ１”であり、ＩＰアドレスは“ＡＤ１００”であり、この場合の機器情報を“ＨＷ１−ＡＤ１００”と表記する。また、第１のネットワーク接続機器３０１にインストールされているソフトウェアの種類は“ＦＷ１”であり、ソフトウェアのバージョンは“ＶＥＲ１”であり、この場合のソフトウェア情報を“ＦＷ１−ＶＥＲ１”と表記する。
【００３９】
また、図５に示されるように、第２のネットワーク接続機器３０２の機種は“ＨＷ２”であり、ＩＰアドレスは“ＡＤ２００”であり、この場合の機器情報を“ＨＷ２−ＡＤ２００”と表記する。また、第２のネットワーク接続機器３０２にインストールされているソフトウェアの種類は“ＦＷ２”であり、ソフトウェアのバージョンは“ＶＥＲ２”であり、この場合のソフトウェア情報を“ＦＷ２−ＶＥＲ２”と表記する。
【００４０】
また、図５に示されるように、機器管理装置３１０は、連携情報を保持するＲＯＭ３１０ａ及びダウンロード用ソフトウェアを保存するＨＤＤ３１０ｂを有する。また、機器管理装置３１０は、制御回路、通信回路、入力部、及びモニター等のように、第１及び第２のネットワーク接続機器３０１，３０２の管理に用いる各種構成を装備している。ここでは、機器管理装置３１０が保持する連携情報は、最も優先度が高い優先度１のソフトウェアの組み合わせとして、「“ＦＷ１−ＶＥＲ２”＋“ＦＷ２−ＶＥＲ２”」を設定しており、優先度が１段階低い優先度２のソフトウェアの組み合わせとして、「“ＦＷ１−ＶＥＲ１”＋“ＦＷ２−ＶＥＲ２”」を設定している。
【００４１】
図５に示されるように、第１のネットワーク接続機器３０１をネットワーク１２０に接続すると、第１のネットワーク接続機器３０１は、自身がネットワークに接続されたことを知らせる通知、即ち、新規接続を通知する信号を発信する（ステップ３１）。新規接続を通知する信号を受信した機器管理装置３１０は、機器情報及びソフトウェア情報の問合せ信号を発信する（ステップ３２）。問合せ信号を受信した第１のネットワーク接続機器３０１は、機器情報“ＨＷ１−ＡＤ１００”及びソフトウェア情報“ＦＷ１−ＶＥＲ１”を機器管理装置３１０に通知し、問合せ信号を受信した第２のネットワーク接続機器１０２は、機器情報“ＨＷ２−ＡＤ２００”及びソフトウェア情報“ＦＷ２−ＶＥＲ２”を機器管理装置３１０に通知する（ステップ３３）。
【００４２】
機器管理装置３１０は、第１及び第２のネットワーク接続機器３０１，３０２にインストールされている現状のソフトウェアの組み合わせより優先度の高いソフトウェアの組み合わせが連携情報に存在するか否かを判断する。実施の形態３においては、図５に示されるように、現状のソフトウェアの組み合わせ「“ＦＷ１−ＶＥＲ１”＋“ＦＷ２−ＶＥＲ２”」よりも優先度の高いソフトウェアの組み合わせ、即ち、優先度１として図示されている「“ＦＷ１−ＶＥＲ２”＋“ＦＷ２−ＶＥＲ２”」が連携情報に存在する。この場合には、図６に示されるように、現状のソフトウェアの組み合わせよりも優先度の高いソフトウェアの組み合わせが連携情報に存在することを通知する信号（即ち、第１のネットワーク接続機器３０１に対してソフトウェアを“ＦＷ１−ＶＥＲ１”からＦＷ１−ＶＥＲ２”に更新することを勧める通知）を発信する（ステップ３４）。
【００４３】
図６に示されるように、ソフトウェアの更新を勧める通知を受信した第１のネットワーク接続機器３０１は、更新用ソフトウェア“ＦＷ１−ＶＥＲ２”のダウンロード要求を機器管理装置３１０に発信する（ステップ３５）。第１のネットワーク接続機器３０１からのダウンロード要求を受け取った機器管理装置３１０は、第１のネットワーク接続機器３０１に対するソフトウェア“ＦＷ１−ＶＥＲ２”のダウンロードを行う（ステップ３６）。このダウンロードにより、図６に示されるように、第１のネットワーク接続機器３０１にインストールされているソフトウェアは“ＦＷ１−ＶＥＲ２”になる。その結果、第１及び第２のネットワーク接続機器３０１，３０２のソフトウェアの組み合わせは、連携情報の優先度１と同じ「“ＦＷ１−ＶＥＲ２”＋“ＦＷ２−ＶＥＲ２”」になる。なお、図６に示されるソフトウェアの更新を勧める通知（ステップ３４）の後に、自動的に更新用ソフトウェアのインストールを実行せず、ユーザによるダウンロード指示の入力操作が行われた場合に、ソフトウェアのダウンロードを実行するように構成してもよい。また、実施の形態２の場合のように、ソフトウェアのダウンロードを機器管理装置３１０以外の他の装置から行ってもよい。
【００４４】
以上説明したように、実施の形態３に係るネットワークシステム３、機器管理装置３１０、及びネットワーク接続機器３０１，３０２によれば、実施の形態１の場合と同様に、連携して動作する複数のネットワーク接続機器３０１，３０２の動作の安定性を向上させることができ、ネットワーク接続機器３０１，３０２に対するソフトウェアの新規又は更新ソフトウェアのインストール作業の負担軽減を図ることができる。
【００４５】
なお、実施の形態３において、上記以外の点は、上記実施の形態１又は２の場合と同じである。
【００４６】
実施の形態４．
図７及び図８は、本発明の実施の形態４に係るネットワークシステム４（機器管理装置４１０及びネットワーク接続機器４０１，４０２を含む）の構成及び動作を概略的に示すブロック図である。
【００４７】
実施の形態４においては、ネットワーク１２０に接続されていなかった第１のネットワーク接続機器４０１をネットワーク１２０に接続したときの、ネットワークシステム４、機器管理装置４１０、並びに、第１及び第２のネットワーク接続機器４０１，４０２の動作を説明する。なお、実施の形態４においては、図７に示されるように、第１のネットワーク接続機器４０１をネットワーク１２０に接続したときに、機器管理装置４１０には、最新のダウンロード用ソフトウェア（ここでは、“ＦＷ１−ＶＥＲ２”）が保存されていない。
【００４８】
図７に示されるように、第１のネットワーク接続機器４０１の機種は“ＨＷ１”であり、ＩＰアドレスは“ＡＤ１００”であり、この場合の機器情報を“ＨＷ１−ＡＤ１００”と表記する。また、第１のネットワーク接続機器４０１にインストールされているソフトウェアの種類は“ＦＷ１”であり、ソフトウェアのバージョンは“ＶＥＲ１”であり、この場合のソフトウェア情報を“ＦＷ１−ＶＥＲ１”と表記する。
【００４９】
また、図７に示されるように、第２のネットワーク接続機器４０２の機種は“ＨＷ２”であり、ＩＰアドレスは“ＡＤ２００”であり、この場合の機器情報を“ＨＷ２−ＡＤ２００”と表記する。また、第２のネットワーク接続機器４０２にインストールされているソフトウェアの種類は“ＦＷ２”であり、ソフトウェアのバージョンは“ＶＥＲ２”であり、この場合のソフトウェア情報を“ＦＷ２−ＶＥＲ２”と表記する。
【００５０】
また、図７に示されるように、機器管理装置４１０は、連携情報を保持するＲＯＭ４１０ａ、ダウンロード用ソフトウェア等を保存することができるＨＤＤ４１０ｂ、及び磁気ディスクや光ディスクのような外部記録媒体からダウンロード用ソフトウェアを読み取る読取装置４１０ｃを有する。また、機器管理装置４１０は、制御回路、通信回路、入力部、及びモニター等のように、第１及び第２のネットワーク接続機器４０１，４０２の管理に用いる各種構成を装備している。ここでは、機器管理装置４１０が保持する連携情報は、最も優先度が高い優先度１のソフトウェアの組み合わせとして、「“ＦＷ１−ＶＥＲ２”＋“ＦＷ２−ＶＥＲ２”」を設定しており、優先度が１段階低い優先度２のソフトウェアの組み合わせとして、「“ＦＷ１−ＶＥＲ１”＋“ＦＷ２−ＶＥＲ２”」を設定している。
【００５１】
図７に示されるように、第１のネットワーク接続機器４０１をネットワーク１２０に接続すると、第１のネットワーク接続機器４０１は、自身がネットワークに接続されたことを知らせる通知、即ち、新規接続を通知する信号を発信する（ステップ４１）。新規接続を通知する信号を受信した機器管理装置４１０は、機器情報及びソフトウェア情報の問合せ信号を発信する（ステップ４２）。問合せ信号を受信した第１のネットワーク接続機器４０１は、機器情報“ＨＷ１−ＡＤ１００”及びソフトウェア情報“ＦＷ１−ＶＥＲ１”を機器管理装置４１０に通知し、第２のネットワーク接続機器４０２は、機器情報“ＨＷ２−ＡＤ２００”及びソフトウェア情報“ＦＷ２−ＶＥＲ２”を機器管理装置４１０に通知する（ステップ４３）。ここで、図８に示されるように外部記録媒体４３０を読取装置４１０ｃに挿入して、外部記録媒体４３０からダウンロード用ソフトウェアをＨＤＤ４１０ｂに複写し、保存する（ステップ４４）。なお、ステップ４４は、ダウンロード実行前のどの段階で実行してもよい。
【００５２】
機器管理装置４１０は、第１及び第２のネットワーク接続機器４０１，４０２にインストールされている現状のソフトウェアの組み合わせより優先度の高いソフトウェアの組み合わせが連携情報に存在するか否かを判断する。実施の形態４においては、図７に示されるように、現状のソフトウェアの組み合わせ「“ＦＷ１−ＶＥＲ１”＋“ＦＷ２−ＶＥＲ２”」よりも優先度の高いソフトウェアの組み合わせ、即ち、優先度１として図示されている「“ＦＷ１−ＶＥＲ２”＋“ＦＷ２−ＶＥＲ２”」が連携情報に存在する。この場合には、図８に示されるように、現状のソフトウェアの組み合わせよりも優先度の高いソフトウェアの組み合わせが連携情報に存在することを通知する信号（即ち、第１のネットワーク接続機器４０１に対してソフトウェアを“ＦＷ１−ＶＥＲ１”からＦＷ１−ＶＥＲ２”に更新することを勧める通知）を発信する（ステップ４５）。
【００５３】
図８に示されるように、ソフトウェアの更新を勧める通知を受信した第１のネットワーク接続機器４０１は、更新用ソフトウェア“ＦＷ１−ＶＥＲ２”のダウンロード要求を機器管理装置４１０に発信する（ステップ４６）。第１のネットワーク接続機器４０１からのダウンロード要求を受け取った機器管理装置４１０は、第１のネットワーク接続機器４０１に対するソフトウェア“ＦＷ１−ＶＥＲ２”のダウンロードを行う（ステップ４７）。このダウンロードにより、図８に示されるように、第１のネットワーク接続機器４０１にインストールされているソフトウェアは“ＦＷ１−ＶＥＲ２”になる。その結果、第１及び第２のネットワーク接続機器４０１，１０２のソフトウェアの組み合わせは、連携情報の優先度１と同じ「“ＦＷ１−ＶＥＲ２”＋“ＦＷ２−ＶＥＲ２”」になる。なお、図８に示されるソフトウェアの更新を勧める通知（ステップ４５）の後に、自動的に更新用ソフトウェアのインストールを実行せず、ユーザによるダウンロード指示の入力操作が行われた場合に、ソフトウェアのダウンロードを実行するように構成してもよい。
【００５４】
以上説明したように、実施の形態４に係るネットワークシステム４、機器管理装置４１０、及びネットワーク接続機器４０１，４０２によれば、実施の形態１の場合と同様に、連携して動作する複数のネットワーク接続機器４０１，４０２の動作の安定性を向上させることができ、ネットワーク接続機器４０１，４０２に対するソフトウェアの新規又は更新インストール作業の負担軽減を図ることができる。
【００５５】
なお、実施の形態４において、上記以外の点は、上記実施の形態１から３までの場合と同じである。
【００５６】
実施の形態５．
図９及び図１０は、本発明の実施の形態５に係るネットワークシステム５（機器管理装置５１０及びネットワーク接続機器５０１，５０２を含む）の構成及び動作を概略的に示すブロック図である。
【００５７】
実施の形態５においては、ネットワーク１２０に接続されていなかった第１のネットワーク接続機器５０１をネットワーク１２０に接続したときの、ネットワークシステム５、機器管理装置５１０、並びに、第１及び第２のネットワーク接続機器５０１，５０２の動作を説明する。なお、実施の形態５においては、第１のネットワーク接続機器５０２のソフトウェアを更新する場合を説明する。
【００５８】
図９に示されるように、第１のネットワーク接続機器５０１の機種は“ＨＷ１”であり、ＩＰアドレスは“ＡＤ１００”であり、この場合の機器情報を“ＨＷ１−ＡＤ１００”と表記する。また、第１のネットワーク接続機器５０１にインストールされているソフトウェアの種類は“ＦＷ１”であり、ソフトウェアのバージョンは“ＶＥＲ２”であり、この場合のソフトウェア情報を“ＦＷ１−ＶＥＲ２”と表記する。
【００５９】
また、図９に示されるように、第２のネットワーク接続機器５０２の機種は“ＨＷ２”であり、ＩＰアドレスは“ＡＤ２００”であり、この場合の機器情報を“ＨＷ２−ＡＤ２００”と表記する。また、第２のネットワーク接続機器５０２にインストールされているソフトウェアの種類は“ＦＷ２”であり、ソフトウェアのバージョンは“ＶＥＲ１”であり、この場合のソフトウェア情報を“ＦＷ２−ＶＥＲ１”と表記する。
【００６０】
また、図９に示されるように、機器管理装置５１０は、連携情報を保持するＲＯＭ５１０ａ及びダウンロード用ソフトウェアを保存することができるＨＤＤ５１０ｂを有する。また、機器管理装置５１０は、制御回路、通信回路、入力部、及びモニター等のように、第１及び第２のネットワーク接続機器５０１，５０２の管理に用いる各種構成を装備している。ここでは、機器管理装置５１０が保持する連携情報は、最も優先度が高い優先度１のソフトウェアの組み合わせとして、「“ＦＷ１−ＶＥＲ２”＋“ＦＷ２−ＶＥＲ２”」を設定しており、優先度が１段階低い優先度２のソフトウェアの組み合わせとして、「“ＦＷ１−ＶＥＲ１”＋“ＦＷ２−ＶＥＲ２”」を設定している。
【００６１】
図９に示されるように、第１のネットワーク接続機器５０１をネットワーク１２０に接続すると、第１のネットワーク接続機器５０１は、自身がネットワークに接続されたことを知らせる通知、即ち、新規接続を通知する信号を発信する（ステップ５１）。新規接続を通知する信号を受信した機器管理装置５１０は、機器情報及びソフトウェア情報の問合せ信号を発信する（ステップ５２）。問合せ信号を受信した第１のネットワーク接続機器５０１は、機器情報“ＨＷ１−ＡＤ１００”及びソフトウェア情報“ＦＷ１−ＶＥＲ２”を機器管理装置５１０に通知し、問合せ信号を受信した第２のネットワーク接続機器５０２は、機器情報“ＨＷ２−ＡＤ２００”及びソフトウェア情報“ＦＷ２−ＶＥＲ１”を機器管理装置５１０に通知する（ステップ５３）。
【００６２】
機器管理装置５１０は、第１及び第２のネットワーク接続機器５０１，５０２にインストールされている現状のソフトウェアの組み合わせより優先度の高いソフトウェアの組み合わせが連携情報に存在するか否かを判断する。実施の形態５においては、図９に示されるように、現状のソフトウェアの組み合わせ「“ＦＷ１−ＶＥＲ２”＋“ＦＷ２−ＶＥＲ１”」よりも優先度の高いソフトウェアの組み合わせ、即ち、優先度１として図示されている「“ＦＷ１−ＶＥＲ２”＋“ＦＷ２−ＶＥＲ２”」が連携情報に存在する。この場合には、図１０に示されるように、現状のソフトウェアの組み合わせよりも優先度の高いソフトウェアの組み合わせが連携情報に存在することを通知する信号（即ち、第２のネットワーク接続機器５０２に対してソフトウェアを“ＦＷ２−ＶＥＲ１”からＦＷ２−ＶＥＲ２”に更新することを勧める通知）を発信する（ステップ５４）。
【００６３】
図１０に示されるように、ソフトウェアの更新を勧める通知を受信した第２のネットワーク接続機器５０２は、更新用ソフトウェア“ＦＷ２−ＶＥＲ２”のダウンロード要求を機器管理装置５１０に発信する（ステップ５５）。第２のネットワーク接続機器５０２からのダウンロード要求を受け取った機器管理装置５１０は、第２のネットワーク接続機器５０２に対するソフトウェア“ＦＷ２−ＶＥＲ２”のダウンロードを行う（ステップ５６）。このダウンロードにより、図１０に示されるように、第２のネットワーク接続機器５０２にインストールされているソフトウェアは“ＦＷ２−ＶＥＲ２”になる。その結果、第１及び第２のネットワーク接続機器５０１，５０２のソフトウェアの組み合わせは、連携情報の優先度１と同じ「“ＦＷ１−ＶＥＲ２”＋“ＦＷ２−ＶＥＲ２”」になる。なお、図１０に示されるソフトウェアの更新を勧める通知（ステップ５４）の後に、自動的に更新用ソフトウェアのインストールを実行せず、ユーザによるダウンロード指示の入力操作等のような他の条件が満たされた場合に、ソフトウェアのダウンロードを実行するように構成してもよい。また、実施の形態２の場合のように、ソフトウェアのダウンロードを機器管理装置５１０以外の他の装置から行ってもよい。
【００６４】
以上説明したように、実施の形態５に係るネットワークシステム５、機器管理装置５１０、及びネットワーク接続機器５０１，５０２によれば、実施の形態１の場合と同様に、連携して動作する複数のネットワーク接続機器５０１，５０２の動作の安定性を向上させることができ、ネットワーク接続機器５０１，５０２に対するソフトウェアの新規又は更新インストール作業の負担軽減を図ることができる。
【００６５】
なお、実施の形態５において、上記以外の点は、上記実施の形態１から４までの場合と同じである。
【００６６】
実施の形態６．
図１１から図１３までは、本発明の実施の形態６に係るネットワークシステム６（機器管理装置６１０及びネットワーク接続機器６０１，６０２，６０３を含む）の構成及び動作を概略的に示すブロック図である。
【００６７】
実施の形態６においては、ネットワーク１２０に接続されていなかった第３のネットワーク接続機器６０３をネットワーク１２０に接続したときの、ネットワークシステム６、機器管理装置６１０、並びに、第１乃至第３のネットワーク接続機器６０１，６０２，６０３の動作を説明する。なお、実施の形態６においては、第３のネットワーク接続機器６０３をネットワーク１２０に接続したときに、第３のネットワーク接続機器６０３から機器管理装置６１０にソフトウェアをダウンロードし、その後、機器管理装置６１０から第１のネットワーク接続機器６０１に更新用ソフトウェアをダウンロードする場合を説明する。
【００６８】
図１１に示されるように、第１のネットワーク接続機器６０１の機種は“ＨＷ１”であり、ＩＰアドレスは“ＡＤ１００”であり、この場合の機器情報を“ＨＷ１−ＡＤ１００”と表記する。また、第１のネットワーク接続機器６０１にインストールされているソフトウェアの種類は“ＦＷ１”であり、ソフトウェアのバージョンは“ＶＥＲ１”であり、この場合のソフトウェア情報を“ＦＷ１−ＶＥＲ１”と表記する。
【００６９】
また、図１１に示されるように、第２のネットワーク接続機器６０２の機種は“ＨＷ２”であり、ＩＰアドレスは“ＡＤ２００”であり、この場合の機器情報を“ＨＷ２−ＡＤ２００”と表記する。また、第２のネットワーク接続機器６０２にインストールされているソフトウェアの種類は“ＦＷ２”であり、ソフトウェアのバージョンは“ＶＥＲ２”であり、この場合のソフトウェア情報を“ＦＷ２−ＶＥＲ２”と表記する。
【００７０】
また、図１１に示されるように、新規に接続される第３のネットワーク接続機器６０３の機種は、第１のネットワーク接続機器６０１と同じ“ＨＷ１”であり、ＩＰアドレスは“ＡＤ１０１”であり、この場合の機器情報を“ＨＷ１−ＡＤ１０１”と表記する。また、第３のネットワーク接続機器６０３にインストールされているソフトウェアの種類は“ＦＷ１”であり、ソフトウェアのバージョンは、第１のネットワーク接続機器６０１のものより新しい“ＶＥＲ２”であり、この場合のソフトウェア情報は“ＦＷ１−ＶＥＲ２”と表記する。
【００７１】
また、図１１に示されるように、機器管理装置６１０は、連携情報を保持するＲＯＭ６１０ａ及びダウンロード用ソフトウェアを保存することができるＨＤＤ６１０ｂを有する。また、機器管理装置６１０は、制御回路、通信回路、入力部、及びモニター等のように、第１乃至第３のネットワーク接続機器６０１，６０２，６０３の管理に用いる各種構成を装備している。ここでは、機器管理装置６１０が保持する連携情報は、最も優先度が高い優先度１のソフトウェアの組み合わせとして、「“ＦＷ１−ＶＥＲ２”＋“ＦＷ２−ＶＥＲ２”」を設定しており、優先度が１段階低い優先度２のソフトウェアの組み合わせとして、「“ＦＷ１−ＶＥＲ１”＋“ＦＷ２−ＶＥＲ２”」を設定しており、優先度がさらに１段階低い優先度３のソフトウェアの組み合わせとして、「“ＦＷ１−ＶＥＲ１”＋“ＦＷ２−ＶＥＲ１”」を設定している。また、機器管理装置６１０のＨＤＤ６１０ｂには、第１又は第３のネットワーク接続機器６０１，６０３用の新しいバージョンのソフトウェア“ＦＷ１−ＶＥＲ２”は保存されていない。
【００７２】
図１１に示されるように、第３のネットワーク接続機器６０３をネットワーク１２０に接続すると、第３のネットワーク接続機器６０３は、自身がネットワークに接続されたことを知らせる通知、即ち、新規接続を通知する信号を発信する（ステップ６１）。新規接続を通知する信号を受信した機器管理装置６１０は、機器情報及びソフトウェア情報の問合せ信号を発信する（ステップ６２）。問合せ信号を受信した第３のネットワーク接続機器６０３は、機器情報“ＨＷ１−ＡＤ１０１”及びソフトウェア情報“ＦＷ１−ＶＥＲ２”を機器管理装置６１０に通知する。同時に、問合せ信号を受信した第１のネットワーク接続機器６０１は、機器情報“ＨＷ１−ＡＤ１００”及びソフトウェア情報“ＦＷ１−ＶＥＲ１”を機器管理装置６１０に通知し、問合せ信号を受信した第２のネットワーク接続機器６０２は、機器情報“ＨＷ２−ＡＤ２００”及びソフトウェア情報“ＦＷ２−ＶＥＲ２”を機器管理装置６１０に通知する（ステップ６３）。
【００７３】
ここでは、機器管理装置６１０は、第３のネットワーク接続機器６０３にインストールされているソフトウェア“ＦＷ１−ＶＥＲ２”を保有していない。この場合には、図１２に示されるように、機器管理装置６１０は、ソフトウェア“ＦＷ１−ＶＥＲ２”をダウンロード用ソフトウェアとして取り込むことを要求する信号を第３のネットワーク接続機器６０３に対して発信し（ステップ６４）、ソフトウェア“ＦＷ１−ＶＥＲ２”をダウンロードし、ＨＤＤ６１０ｂに保存する（ステップ６５）。
【００７４】
次に、機器管理装置６１０は、現状のソフトウェアの組み合わせより優先度の高いソフトウェアの組み合わせが連携情報に存在するか否かを判断する。実施の形態６においては、図１２に示されるように、現状のソフトウェアの組み合わせ「“ＦＷ１−ＶＥＲ１”＋“ＦＷ２−ＶＥＲ２”」よりも優先度の高いソフトウェアの組み合わせ、即ち、優先度１として図示されている「“ＦＷ１−ＶＥＲ２”＋“ＦＷ２−ＶＥＲ２”」が連携情報に存在する。この場合には、図１３に示されるように、現状のソフトウェアの組み合わせよりも優先度の高いソフトウェアの組み合わせが連携情報に存在することを通知する信号（即ち、第１のネットワーク接続機器６０１に対してソフトウェアを“ＦＷ１−ＶＥＲ１”からＦＷ１−ＶＥＲ２”に更新することを勧める通知）を発信する（ステップ６６）。
【００７５】
図１３に示されるように、ソフトウェアの更新を勧める通知を受信した第１のネットワーク接続機器６０１は、更新用ソフトウェア“ＦＷ１−ＶＥＲ２”のダウンロード要求を機器管理装置６１０に発信する（ステップ６７）。第１のネットワーク接続機器６０１からのダウンロード要求を受け取った機器管理装置６１０は、第１のネットワーク接続機器６０１に対するソフトウェア“ＦＷ１−ＶＥＲ２”のダウンロードを行う（ステップ６８）。このダウンロードにより、図１３に示されるように、第１及び第３のネットワーク接続機器６０１及び６０３にインストールされているソフトウェアは“ＦＷ１−ＶＥＲ２”になる。その結果、第１乃至第３のネットワーク接続機器６０１，６０２，６０３のソフトウェアの組み合わせは、連携情報の優先度１と同じ「“ＦＷ１−ＶＥＲ２”＋“ＦＷ２−ＶＥＲ２”」になる。なお、図１３に示されるソフトウェアの更新を勧める通知（ステップ６６）の後に、自動的に更新用ソフトウェアのインストールを実行せず、ユーザによるダウンロード指示の入力操作等のような他の条件が満たされた場合に、ソフトウェアのダウンロードを実行するように構成してもよい。
【００７６】
以上説明したように、実施の形態６に係るネットワークシステム６、機器管理装置６１０、及びネットワーク接続機器６０１，６０２，６０３によれば、実施の形態１の場合と同様に、連携して動作する複数のネットワーク接続機器６０１，６０２，６０３の動作の安定性を向上させることができ、ネットワーク接続機器６０１，６０２，６０３に対するソフトウェアの新規又は更新インストール作業の負担軽減を図ることができる。
【００７７】
なお、実施の形態６において、上記以外の点は、上記実施の形態１から５までの場合と同じである。
【００７８】
実施の形態７．
図１４は、本発明の実施の形態７に係る映像監視システム（機器管理装置としてのパーソナルコンピュータ（ＰＣ）並びにネットワーク接続機器としてのカメラ及びレコーダを含む）の構成及び動作を説明するための図である。
【００７９】
図１４に示されるように、実施の形態７に係る映像監視システムは、ネットワークインタフェースを備えたＨＤＤレコーダであるタイムラプス記録再生装置（型名：ＲｅｃＴｙｐｅ１）７０１と、これに接続された監視用モニタ（図示せず）とを有している。また、実施の形態７に係る映像監視システムは、ネットワーク接続機器として、ネットワークインタフェースを備えたＤＶＤ（ｄｉｇｉｔａｌ  ｖｅｒｓａｔｉｌｅ  ｄｉｓｃ）レコーダ（型名：ＤｖｄＴｙｐｅ２）７０２と、ネットワークインタフェースを備えたネットワークカメラ（型名：ＣａｍＴｙｐｅ３）７０３ａ１，７０３ａ２，７０３ａ３，７０３ａ４とを有している。さらに、実施の形態７に係る映像監視システムは、機器管理装置としてのＰＣ７０４を有している。タイムラプス記録再生装置７０１、ＤＶＤレコーダ７０２、ネットワークカメラ７０３ａ１，７０３ａ２，７０３ａ３，７０３ａ４、及びＰＣ７０４はそれぞれネットワーク（回線及びハブ等を含む）７０５を介して接続されている。機器管理装置及びネットワーク接続機器のそれぞれは、メディア（情報記録媒体）読取装置（７０６ａ等）を備えている。各機器のメディア読取装置に、ファームウェアが記憶されたメディアを挿入して各機器のＲＯＭ内に取り込むことで、ファームウェアを新規又は更新インストールすることができる。
【００８０】
図１５は、実施の形態７における機器管理装置７０４のＲＯＭ等の記憶装置７１１（以下単に「メモリ」とも言う）に格納されている設定内容を説明するための図である。従来の機器管理装置は、機器設定とネットワーク設定を持つが、実施の形態７における機器管理装置７０４は、機器設定７１０ａとネットワーク設定７１０ｂに加えて連携設定７１０ｃを持つ。連携設定７１０ｃの設定内容の一例は、図１９に示される。図１９に示されるように、連携設定７１０ｃにおける連携情報７１０ｃ１は、▲１▼機器管理装置７０４が管理しているネットワーク接続機器のファームウェア、▲２▼ファームウェアのバージョン、▲３▼ファームウェアの各バージョン毎に安定した組み合わせの優先度を管理するためのタグ、▲４▼現在呼び出されている組み合わせの優先度、▲５▼各ファームウェアを有するネットワーク接続機器のＩＰアドレス、▲６▼各ネットワーク接続機器にインストールされているファームウェアのバージョン、▲７▼現在呼び出されている組み合わせ優先度のタグが示すファームウェアのバージョンと各機器にインストールされているファームウェアのバージョンが異なる際に通知するべき機器を特定するための通知フラグ等の情報を含んでいる。また、必要に応じて、連携設定７１０ｃとして他の設定を格納することもある。
【００８１】
実施の形態７に係る映像監視システムにおいては、機器管理装置７０４の電源を投入した時点でタイムラプス記録再生装置７０１、ＤＶＤレコーダ７０２、カメラ７０３ａ１，７０３ａ２，７０３ａ３，７０３ａ４は既にネットワークに参加しており、以降ネットワークに新たに参加する機器は無い場合を説明する。ここでは、各ネットワーク接続機器にはすべて最新のファームウェア（ｆ／ｗ）がインストールされている。即ち、図１９に示されるように、タイムラプス記録再生装置７０１にインストールされているファームウェアのバージョンは“Ｖｅｒ．１．１１”であり、ＤＶＤレコーダ７０２にインストールされているファームウェアのバージョンは“Ｖｅｒ．３．３”であり、カメラ７０３ａ１，７０３ａ２，７０３ａ３，７０３ａ４のそれぞれにインストールされているファームウェアのバージョンはは“Ｖｅｒ．０．５２”である。ここでは、各ネットワーク接続機器にインストールされているファームウェア同士の相性等に起因して映像監視システムの動作が不安定である、即ち、動作異常が生じやすい場合を説明する。また、予め各機器のファームウェアは過去のバージョンのもの含め、機器管理装置７０４のメモリ７１１内にすべて記憶されているものとする。
【００８２】
次に、実施の形態７に係る映像監視システムの動作を説明する。図１４に示されるように、機器管理装置７０４は電源投入後、当該ネットワークに接続されているネットワーク接続機器（タイムラプス記録再生装置７０１、ＤＶＤレコーダ７０２、ネットワークカメラ７０３ａ１，７０３ａ２，７０３ａ３，７０３ａ４等）を把握するために、ネットワーク接続機器を認識するための問い合わせのブロードキャストを行う（ステップ７１）。この問い合わせを受け取った各ネットワーク接続機器は、ネットワーク接続機器を特定させるための各機器固有の機器識別応答信号と、各ネットワーク接続機器にインストールされているファームウェアのバージョンとを機器管理装置７０４に通知する（ステップ７２）。ここで、ユーザは機器管理装置７０４上のネットワーク接続機器管理用ツール７２０（以下「管理用ツール」と言う）を操作し（図１６及び図１８参照）、以前優先度１として登録しておいた安定的に動作するファームウェア同士の組み合わせを呼び出すよう設定する。このときに優先度１として登録された組み合わせは、図１９に示されるように、タイムラプス記録再生装置７０１用ファームウェアが“Ｖｅｒ．１．１０”であり、ＤＶＤレコーダ７０２用ファームウェアが“Ｖｅｒ．３．３”であり、カメラ７０３ａ１，７０３ａ２，７０３ａ３，７０３ａ４用ファームウェアが“Ｖｅｒ．０．５２”である。このため、機器管理装置７０４の連携情報７１０ｃ１において「現在のＶｅｒ．」欄に記載されている各ネットワーク接続機器のファームウェアバージョンと「設定優先度」欄の優先度ナンバが「優先度管理」欄のタグに記載されているファームウェアバージョンとを比較し、これらが異なるネットワーク接続機器、即ち、タイムラプス記録再生装置７０１の「通知フラグ」欄にはフラグ（図１９の通知フラグ欄にドット「・」により示される）が立つこととなる。
【００８３】
機器管理装置７０４は、連携情報７１０ｃ１において通知フラグの立ったネットワーク接続機器７０１に対し、「優先度管理」欄のタグに呼び出された優先度ナンバが記載されている“Ｖｅｒ．１．１０”のファームウェアをインストールするよう通知する（ステップ７３）。この通知を受けたタイムラプス記録再生装置７０１は、機器管理装置７０４から“Ｖｅｒ．１．１０”のファームウェアをダウンロードし（ステップ７４）、自身へのインストールを行う。
【００８４】
図１６は、実施の形態７における機器管理装置７０４のモニターに管理用ツール７２０を用いて表示された画像（ネットワーク接続機器の一覧を含むユーザインタフェース）を概略的に示す図である。図１６に示されるように、管理用ツール７２０を用いて、ユーザはツールバーの「機器設定」から「機器一覧」を選択することで、ネットワーク上で認識されたネットワーク接続機器の一覧を取得することができる。管理用ツール７２０は、図１９に示される連携情報７１０ｃ１を参照することで、即ち、「接続機種」及び「型名」は連携情報７１０ｃ１の「ソフトウェア」欄を、「ＩＰアドレス」は連携情報７１０ｃ１の「ＩＰアドレス」欄を、現在インストールされているファームウェアのバージョンを示す「ソフトバージョン」は連携情報７１０ｃ１の「現在のＶｅｒ．」欄を参照することで、接続機器一覧を作成する。
【００８５】
図１７は、実施の形態７における機器管理装置７０４のＲＯＭ７１１に保存された各ネットワーク接続機器用のファームウェアの占有状態を示す図である。メモリ内にはタイムラプス記録再生装置７０１用のファームウェア（“Ｖｅｒ．１．０１”〜“Ｖｅｒ．１．１１”）、カメラ７０３ａ１，７０３ａ２，７０３ａ３，７０３ａ４用のファームウェア（“Ｖｅｒ．０．５０”〜“Ｖｅｒ．０．５２”）、及びＤＶＤレコーダ７０２用のファームウェア（“Ｖｅｒ．３．０”〜“Ｖｅｒ．３．３”）が保存されている。
【００８６】
図１８は、実施の形態７における機器管理装置７０４のモニターに管理用ツール７２０を用いて表示された画像（優先度を設定するための画像）を概略的に示す図である。ユーザは管理用ツール７２０においてツールバーの「連携設定」から「優先度設定」を選択することで、組み合わせ優先度設定ウィンドウ７２０ａにおいてユーザ自身が経験上安定していると思われる各機器のファームウェアの組み合わせを各プルダウンメニューから選択し、優先度ナンバ（この例では優先度１）として登録することができる。さらに、ユーザはツールバーの「連携設定」から「設定呼出し」を選択することで（図示せず）、先に設定した組み合わせの優先度ナンバを呼び出し、安定したファームウェアの組み合わせに戻すことができる。
【００８７】
管理用ツール７２０における組み合わせ優先度設定ウィンドウ７２０ａは、図１９に示される連携情報７１０ｃ１を参照することで、即ち、表示されているファームウェアの種類は連携情報７１０ｃ１の「ソフトウェア」欄を、各ファームウェアのバージョンを選択するプルダウンメニューは連携情報７１０ｃ１の「優先度管理」欄を参照することで、構成される。
【００８８】
図２０は、実施の形態７における各ネットワーク接続機器にインストールされているファームウェアの推移を示す図である。図２０において、７１２はタイムラプス記録再生装置７０１のメモリ内部を、７１３はネットワークカメラ７０３ａ１，７０３ａ２，７０３ａ３，７０３ａ４のメモリ内部を、７１４はＤＶＤレコーダ７０２のメモリ内部を、それぞれ示している。図２０の上側に示されるように、予め各メモリ内には各ファームウェアの最新版が、即ち、メモリ７１２内にはＲｅｃＴｙｐｅ１ファームウェアの“Ｖｅｒ．１．１１”が、メモリ７１３内にはＣａｍＴｙｐｅ３ファームウェアの“Ｖｅｒ．０．５２”が、メモリ７１４内にはＤｖｄＴｙｐｅ２ファームウェアの“Ｖｅｒ．３．３”が、インストールされている。
【００８９】
ユーザが管理用ツール７２０を操作し優先度１の組み合わせを呼び出したとすると、図１９に示される連携情報７１０ｃ１における「設定優先度」欄の優先度ナンバが１となり、機器管理装置７０４は「現在のＶｅｒ．」欄に記載されている各機器のファームウェアバージョンと優先度ナンバ１が「優先度管理」欄のタグに記載されているファームウェアバージョンとを比較する。
【００９０】
このときに優先度１として登録された組み合わせは、タイムラプス記録再生装置７０１用ファームウェアが“Ｖｅｒ．１．１０”であり、ＤＶＤレコーダ７０２用ファームウェアが“Ｖｅｒ．３．３”であり、カメラ７０３ａ１，７０３ａ２，７０３ａ３，７０３ａ４用ファームウェアが“Ｖｅｒ．０．５２”である。この場合には、タイムラプス記録再生装置７０１のみバージョンの比較結果が異なるため、連携情報７１０ｃ１において通知フラグが立つこととなる。これにより機器管理装置７０４はタイムラプス記録再生装置７０１に対し“Ｖｅｒ．１．１０”のファームウェアをインストールするよう通知する。この通知を受けたタイムラプス記録再生装置７０１は機器管理装置７０４から“Ｖｅｒ．１．１０”のファームウェアをダウンロードし自身へのインストールを行う。この結果、図２０の下側に示されるように、タイムラプス記録再生装置７０１のメモリ７１２内のみＲｅｃＴｙｐｅ１ファームウェアが“Ｖｅｒ．１．１０”へと変化することになる。
【００９１】
以上説明したように、実施の形態７に係る映像監視システム、機器管理装置７０４、及びネットワーク接続機器によれば、複数のネットワーク接続機器にインストールされているソフトウェアの組み合わせが、最も優先度の高いものになるよう管理されるので、連携して動作する複数のネットワーク接続機器の動作の安定性を向上させることができる。
【００９２】
また、ネットワーク接続機器にソフトウェアのダウンロードを行う機能を備えたので、ネットワーク接続機器に対するソフトウェアの新規又は更新インストール作業の負担軽減を図ることができる。
【００９３】
実施の形態８．
図２１は、本発明の実施の形態８に係る映像監視システム（機器管理装置としてのＰＣ並びにネットワーク接続機器としてのカメラ及びレコーダを含む）の構成及び動作を説明するための図である。
【００９４】
図２１に示されるように、実施の形態８に係る映像監視システムは、ネットワーク接続機器として、ネットワークインタフェースを備えたＤＶＤレコーダ（型名：ＤｖｄＴｙｐｅ２）８０２と、ネットワークカメラ（型名：ＣａｍＴｙｐｅ３）８０３ａ１，８０３ａ２，８０３ａ３，８０３ａ４とを有している。また、実施の形態８に係る映像監視システムは、機器管理装置として、ＰＣ８０４を有している。実施の形態８においては、タイムラプス記録再生装置８０１は、ＤＶＤレコーダ８０２及びネットワークカメラ８０３ａ１，８０３ａ２，８０３ａ３，８０３ａ４、ＰＣ８０４が接続されているネットワーク８０５に、追加接続される。機器管理装置及びネットワーク接続機器のそれぞれは、メディア（情報記録媒体）読取装置を備えている。各機器のメディア読取装置に、ファームウェアが記憶されたメディアを挿入して各機器のＲＯＭ内に取り込むことで、ファームウェアを新規又は更新インストールすることができる。
【００９５】
実施の形態８においては、機器管理装置８０４の電源を投入した時点でＤＶＤレコーダ８０２及びカメラ８０３ａ１，８０３ａ２，８０３ａ３，８０３ａ４は既にネットワークに参加していたが、タイムラプス記録再生装置８０１は機器管理装置８０４の電源投入後に新たにネットワークに参加した場合を説明する。図２４の「現在のＶｅｒ．」欄に示されるように、各ネットワーク接続機器はすべて現時点においての最新のファームウェア、即ち、タイムラプス記録再生装置８０１にインストールされているファームウェアのバージョンは“Ｖｅｒ．１．１１”であり、ＤＶＤレコーダ８０２にインストールされているファームウェアのバージョンは“Ｖｅｒ．３．３”であり、カメラ８０３ａ１，８０３ａ２，８０３ａ３，８０３ａ４にインストールされているファームウェアのバージョンは“Ｖｅｒ．０．５２”である場合を説明する。また、図２２の左側に示されるように、現時点において各機器のファームウェアは過去のバージョン等も含め、機器管理装置８０４のＲＯＭ等の記憶装置８１１（単に「メモリ」とも言う）内にすべて記憶されているものとする。
【００９６】
次に、実施の形態８に係る映像監視システムの動作を説明する。図２１に示されるように、新たにネットワークに参加したタイムラプス記録再生装置８０１は自身がネットワークに参加したことを通知するためのブロードキャストを行う（ステップ８１）。この通知を受けた機器管理装置８０４は当該ネットワークに接続されているネットワーク接続機器を再度把握するために、ネットワーク接続機器を認識するための問い合わせのブロードキャストを行う（ステップ８２）。この問い合わせを受け取った各ネットワーク接続機器は、ネットワーク接続機器を特定させるための各機器に固有の機器識別応答信号と、各ネットワーク接続機器にインストールされているファームウェアのバージョンを機器管理装置８０４に通知する（ステップ８３）。ここでユーザは機器管理装置８０４上の管理用ツール８２０を操作し（図１６及び図２３参照）、各ネットワーク接続機器とも最新版のファームウェアを呼び出すよう設定する。さらに、ユーザはタイムラプス記録再生装置８０１の最新版“Ｖｅｒ．１．１２”が格納されたメディア８０６ｂを機器管理装置８０４のメディア読取装置８０６ａに挿入し、機器管理装置８０４のメモリ８１１内にタイムラプス記録再生装置８０１の最新版“Ｖｅｒ．１．１２”のファームウェアを保存する。このとき、図２４に示されるように、メモリ８１１内に保存された各機器のファームウェアの最新版は、タイムラプス記録再生装置８０１用ファームウェアが“Ｖｅｒ．１．１２”であり、ＤＶＤレコーダ８０２用ファームウェアが“Ｖｅｒ．３．３”であり、カメラ８０３ａ１，８０３ａ２，８０３ａ３，８０３ａ４用ファームウェアが“Ｖｅｒ．０．５２”である。このため、機器管理装置８０４の連携情報８１０ｃ１において「現在のＶｅｒ．」欄に記載されている各機器のファームウェアバージョンと「設定優先度」欄の優先度ナンバに記載されているファームウェアバージョンとを比較し、これらが異なる機器、即ち、タイムラプス記録再生装置８０１の「通知フラグ」欄にはフラグが立つこととなる。機器管理装置８０４は、連携情報８１０ｃ１において通知フラグの立ったネットワーク接続機器（ここでは、タイムラプス記録再生装置８０１）に対し、「優先度管理」欄の中で最新版として登録されている“Ｖｅｒ．１．１２”のファームウェアをインストールするよう通知する（ステップ８５）。この通知を受けたタイムラプス記録再生装置８０１は機器管理装置８０４から“Ｖｅｒ．１．１２”のファームウェアをダウンロードし（ステップ８６）、自身へのインストールを行う。
【００９７】
図２２は、実施の形態８における機器管理装置８０４のメモリ８１１に保存された各ネットワーク接続機器用のファームウェアの占有状態の変化を示す図である。図２２の左側に示されるように、当初、メモリ８１１内には、タイムラプス記録再生装置８０１用のファームウェア（“Ｖｅｒ．１．０１”〜“Ｖｅｒ．１．１１”）、カメラ８０３ａ１，８０３ａ２，８０３ａ３，８０３ａ４用のファームウェア（“Ｖｅｒ．０．５０”〜“Ｖｅｒ．０．５２”）、ＤＶＤレコーダ８０２用のファームウェア（“Ｖｅｒ．３．０”〜“Ｖｅｒ．３．３”）が保存されている。
【００９８】
ここで、ユーザはタイムラプス記録再生装置８０１の最新版“Ｖｅｒ．１．１２”のファームウェアが格納されたメディア８０６ｂを機器管理装置８０４のメディア読取装置８０６ａに挿入し、機器管理装置８０４のメモリ８１１内にタイムラプス記録再生装置８０１の最新版“Ｖｅｒ．１．１２”のファームウェアを保存する。これにより、図２２の右側に示されるように、メモリ８１１内には、タイムラプス記録再生装置８０１用のファームウェア（“Ｖｅｒ．１．０１”〜“Ｖｅｒ．１．１２”）、カメラ８０３ａ１，８０３ａ２，８０３ａ３，８０３ａ４用のファームウェア（“Ｖｅｒ．０．５０”〜“Ｖｅｒ．０．５２”）、ＤＶＤレコーダ８０２用のファームウェア（“Ｖｅｒ．３．０”〜“Ｖｅｒ．３．３”）が保存された状態になる。
【００９９】
図２３は、実施の形態８における機器管理装置８０４のモニターに管理用ツール８２０を用いて表示された画像（優先度を設定するための画像）を概略的に示す図である。管理用ツール８２０のユーザインタフェースにおいて、組み合わせの優先度を「最新版」として設定するときには、ユーザは組み合わせ優先度設定ウィンドウ８２０ａにおいて各機器のファームウェアを各プルダウンメニューから選択すること無く、優先度ナンバとして「最新版」を設定している。さらに、ユーザはツールバーの「連携設定」から「設定呼出し」を選択することで（図示せず）、先に設定した優先度ナンバ「最新版」を呼び出すことができる。
【０１００】
図２５は、実施の形態８における各ネットワーク接続機器のメモリ内部におけるファームウェア更新の推移を示す図である。図２５において、８１２はタイムラプス記録再生装置８０１のメモリ内部を、８１３はネットワークカメラ８０３ａ１，８０３ａ２，８０３ａ３，８０３ａ４のメモリ内部を、８１４はＤＶＤレコーダ８０２のメモリ内部を、それぞれ示している。図２５の上側に示されるように、予め各メモリ内には現時点での各ファームウェアの最新版が、即ち、メモリ８１２内にはＲｅｃＴｙｐｅ１ファームウェアの“Ｖｅｒ．１．１１”が、メモリ８１３内にはＣａｍＴｙｐｅ３ファームウェアの“Ｖｅｒ．０．５２”が、メモリ８１４内にはＤｖｄＴｙｐｅ２ファームウェアの“Ｖｅｒ．３．３”が、インストールされている。
【０１０１】
ユーザが管理用ツール８２０を操作しファームウェアの組み合わせとして「最新版」を呼び出したとすると、図２５の連携情報８１０ｃ１における「設定優先度」欄の優先度ナンバが「最新版」となり、機器管理装置８０４は「現在のＶｅｒ．」欄に記載されている各機器のファームウェアバージョンと「優先度管理」欄の中で最新版として登録されているファームウェアバージョンとを比較する。
【０１０２】
このときの最新版ファームウェアは、タイムラプス記録再生装置８０１用ファームウェアが“Ｖｅｒ．１．１２”であり、ＤＶＤレコーダ８０２用ファームウェアが“Ｖｅｒ．３．３”であり、カメラ８０３ａ１，８０３ａ２，８０３ａ３，８０３ａ４用ファームウェアが“Ｖｅｒ．０．５２”であり、タイムラプス記録再生装置８０１のみバージョンの比較結果が異なるため、連携情報８１０ｃ１において通知フラグが立つこととなる。これにより機器管理装置８０４はタイムラプス記録再生装置８０１に対し“Ｖｅｒ．１．１２”のファームウェアをインストールするよう通知する。この通知を受けたタイムラプス記録再生装置８０１は機器管理装置８０４からファームウェア“Ｖｅｒ．１．１２”のファームウェアをダウンロードし自身へのインストールを行うため、図２５の下側に示されるように、タイムラプス記録再生装置８０１のメモリ８１２内のみＲｅｃＴｙｐｅ１ファームウェアが“Ｖｅｒ．１．１２”へと変化することになる。
【０１０３】
以上説明したように、実施の形態８に係る映像監視システム、機器管理装置８０４、及びネットワーク接続機器によれば、複数のネットワーク接続機器にインストールされているソフトウェアの組み合わせが、最も優先度の高いものになるよう管理されるので、連携して動作する複数のネットワーク接続機器の動作の安定性を向上させることができる。
【０１０４】
また、ネットワーク接続機器にソフトウェアのダウンロードを行う機能を備えたので、ネットワーク接続機器に対するソフトウェアのインストール作業の負担軽減を図ることができる。
【０１０５】
実施の形態９．
図２６は、本発明の実施の形態９に係る映像監視システム（機器管理装置としてのＰＣ並びにネットワーク接続機器としてのカメラ及びレコーダを含む）の構成及び動作を説明するための図である。
【０１０６】
図２６に示されるように、実施の形態９に係る映像監視システムは、ネットワーク接続機器として、ネットワークインタフェースを備えたＨＤＤレコーダであるタイムラプス記録再生装置（型名：ＲｅｃＴｙｐｅ１）９０１と、これに接続された監視用モニタ（図示せず）とを有している。また、実施の形態９に係る映像監視システムは、ネットワーク接続機器として、ネットワークインタフェースを備えたＤＶＤレコーダ（型名：ＤｖｄＴｙｐｅ２）９０２と、ネットワークカメラ（型名：ＣａｍＴｙｐｅ３）９０３ａ１，９０３ａ２，９０３ａ３とを有している。さらに、実施の形態９に係る映像監視システムは、機器管理装置としてのＰＣ９０４を有している。タイムラプス記録再生装置９０１、ＤＶＤレコーダ９０２、ネットワークカメラ９０３ａ１，９０３ａ２，９０３ａ３、及びＰＣ９０４はそれぞれネットワーク９０５を介して接続されている。また、ネットワークカメラ９０３ａ４は、ネットワーク９０５に、追加接続される。機器管理装置及びネットワーク接続機器のそれぞれは、メディア（情報記録媒体）読取装置を備えている。各機器のメディア読取装置に、ファームウェアが記憶されたメディアを挿入して各機器のＲＯＭ内に取り込むことで、ファームウェアを新規又は更新インストールすることができる。
【０１０７】
実施の形態９においては、機器管理装置９０４の電源を投入した時点でタイムラプス記録再生装置９０１、ＤＶＤレコーダ９０２、及びカメラ９０３ａ１，９０３ａ２，９０３ａ３は既にネットワークに参加していたが、最新のファームウェア“Ｖｅｒ．０．５３”のファームウェアがインストールされているカメラ９０３ａ４は機器管理装置９０４の電源投入後に新たにネットワークに参加した場合を説明する。図２９の「現在のＶｅｒ．」欄に示されるように、この時点で、タイムラプス記録再生装置９０１にインストールされているファームウェアのバージョンは“Ｖｅｒ．１．１１”であり、ＤＶＤレコーダ９０２にインストールされているファームウェアのバージョンは“Ｖｅｒ．３．３”であり、カメラ９０３ａ１，９０３ａ２，９０３ａ３にインストールされているファームウェアのバージョンは“Ｖｅｒ．０．５２”であり、カメラ９０３ａ４にインストールされているファームウェアのバージョンは“Ｖｅｒ．０．５３”である。また、図２８の左側に示されるように、この時点において、各ネットワーク接続機器のファームウェアは、カメラのファームウェア“Ｖｅｒ．０．５３”以外、過去のバージョン等も含め機器管理装置９０４のＲＯＭ等の記憶装置９１１（以下単に「メモリ」とも言う）内にすべて記憶されているものとする。
【０１０８】
図２９は、実施の形態９における機器管理装置９０４のメモリ９１１に保存された連携設定の変化を示す図である。図２９に示されるように、機器管理装置９０４が保持する連携情報９１０ｃ１は、▲１▼機器管理装置９０４が管理しているネットワーク接続機器のファームウェア、▲２▼ファームウェアのバージョン、▲３▼ファームウェアの各バージョン毎に安定した組み合わせの優先度を管理するためのタグ、▲４▼現在呼び出されている組み合わせの優先度、▲５▼各ファームウェアを有するネットワーク接続機器のＩＰアドレス、▲６▼各ネットワーク接続機器にインストールされているファームウェアのバージョン、▲７▼現在呼び出されている組み合わせ優先度のタグが示すファームウェアのバージョンと各ネットワーク接続機器にインストールされているファームウェアのバージョンが異なる際に通知するべき機器を特定するための通知フラグ、▲８▼各ネットワーク接続機器にインストールされているファームウェアのバージョンの内「優先度管理」欄に登録されていないものがあった場合その未登録バージョンのファームウェアをインストールしている機器からダウンロードを行うための要求フラグ等の情報を格納している。また、必要に応じて、連携設定として他の設定を格納することもある。
【０１０９】
次に、実施の形態９に係る映像監視システムの動作を説明する。図２６に示されるように、機器管理装置９０４は当該ネットワークに接続されているネットワーク接続機器を把握するために、ネットワーク接続機器を認識するための問い合わせのブロードキャストをある一定の時間間隔で行う（ステップ９１）。この問い合わせを受け取った各ネットワーク接続機器は、ネットワーク接続機器を特定させるための各ネットワーク接続機器に固有の機器識別応答信号と、各ネットワーク接続機器にインストールされているファームウェアのバージョンを機器管理装置９０４に通知する（ステップ９２）。ここで、ユーザは機器管理装置９０４上の管理用ツール９２０を操作し（図２７及び図２３参照）、各ネットワーク接続機器とも最新版のファームウェアを呼び出すよう設定する。このとき、図２９の上側に示されるように、機器管理装置９０４の連携情報９１０ｃ１において、「現在のＶｅｒ．」欄に記載されている各機器のファームウェアバージョンの内「優先度管理」欄に登録されていないものがあった場合、その未登録バージョンのファームウェアをインストールしている機器、即ち、カメラ９０３ａ４の「要求フラグ」欄にはフラグ（図２９の要求フラグ欄にドット「・」により示される）が立つこととなる。
【０１１０】
機器管理装置９０４は連携情報９１０ｃ１において要求フラグの立った機器９０３ａ４から、その未登録のファームウェア“Ｖｅｒ．０．５３”のファームウェアをダウンロードし機器管理装置９０４のメモリ９１１内に格納する（ステップ９３）。このとき、図２９の下側に示されるように、メモリ９１１内に保存された各ネットワーク接続機器のファームウェアの最新版は、タイムラプス記録再生装置９０１用ファームウェアが“Ｖｅｒ．１．１１”であり、ＤＶＤレコーダ９０２用ファームウェアが“Ｖｅｒ．３．３”であり、カメラ９０３ａ１，９０３ａ２，９０３ａ３，９０３ａ４用ファームウェアが“Ｖｅｒ．０．５３”である。このため、機器管理装置９０４の連携情報９１０ｃ１において「現在のＶｅｒ．」欄に記載されている各ネットワーク接続機器のファームウェアバージョンと「設定優先度」欄の優先度ナンバに記載されているファームウェアバージョンとを比較し、これらが異なるネットワーク接続機器、即ち、カメラ９０３ａ１，９０３ａ２，９０３ａ３の「通知フラグ」欄にはフラグ（図２９の通知フラグ欄にドット「・」により示される）が立つこととなる。
【０１１１】
機器管理装置９０４は連携情報９１０ｃ１において通知フラグの立ったネットワーク接続機器９０３ａ１，９０３ａ２，９０３ａ３に対し、「優先度管理」欄の中で最新版として登録されている“Ｖｅｒ．０．５３”のファームウェアをインストールするよう通知する（ステップ９４）。この通知を受けたカメラ９０３ａ１，９０３ａ２，９０３ａ３は、機器管理装置９０４から“Ｖｅｒ．０．５３”のファームウェアをダウンロードし（ステップ９５）、自身へのインストールを行う。
【０１１２】
図２７は、実施の形態９における機器管理装置９０４のモニターにネットワーク接続機器管理用ツールを用いて表示された画像（ネットワーク接続機器の一覧を含むすユーザインタフェース）を概略的に示す図である。図２７に示されるように、ユーザは管理用ツール９２０上のツールバー「機器設定」から「機器一覧」を選択することで、ネットワーク上で認識された接続機器の一覧を取得することができる。図２７は、最新の“Ｖｅｒ．０．５３”のファームウェアをインストールしたカメラ９０３ａ４を新たにネットワークに参加させ、機器管理装置９０４が接続機器認識の問い合わせを行いこれを受け取った各ネットワーク接続機器による機器識別応答信号及びファームウェアバージョンの通知信号を受け取った後、ネットワーク接続機器一覧を取得したものである。図２７における「ソフトバージョン」欄は、タイムラプス記録再生装置９０１が“Ｖｅｒ．１．１１”であり、ＤＶＤレコーダ９０２が“Ｖｅｒ．３．３”であり、カメラ９０３ａ１，９０３ａ２，９０３ａ３が“Ｖｅｒ．０．５２”であり、カメラ９０３ａ４が“Ｖｅｒ．０．５３”となっている。
【０１１３】
図２８は、実施の形態９における機器管理装置９０４のメモリ９１１に保存された各ネットワーク接続機器用のファームウェアの占有状態の変化を示す図である。メモリ９１１内にはレコーダ９０１用のファームウェア（“Ｖｅｒ．１．０１”〜“Ｖｅｒ．１．１１”）、カメラ９０３ａ１，９０３ａ２，９０３ａ３，９０３ａ４用のファームウェア（“Ｖｅｒ．０．５０”〜“Ｖｅｒ．０．５２”）、ＤＶＤレコーダ９０２用のファームウェア（“Ｖｅｒ．３．０”〜“Ｖｅｒ．３．３”）が保存されている。
【０１１４】
ここで、機器管理装置９０４の連携情報９１０ｃ１において「現在のＶｅｒ．」欄に記載されている各機器のファームウェアバージョンの内「優先度管理」欄に登録されていないものがあった場合、その未登録バージョンのファームウェアをインストールしている機器、即ち、カメラ９０３ａ４の「要求フラグ」欄にフラグが立ち、そのフラグの立った機器９０３ａ４から、その未登録のファームウェア“Ｖｅｒ．０．５３”のファームウェアをダウンロードし機器管理装置９０４のメモリ内に格納する。これによりメモリ内にはレコーダ９０１用のファームウェア（“Ｖｅｒ．１．０１”〜“Ｖｅｒ．１．１１”）、カメラ９０３ａ１，９０３ａ２，９０３ａ３，９０３ａ４用のファームウェア（“Ｖｅｒ．０．５０”〜“Ｖｅｒ．０．５３”）、ＤＶＤレコーダ９０２用のファームウェア（“Ｖｅｒ．３．０”〜“Ｖｅｒ．３．３”）が保存された状態になる。
【０１１５】
図３０は、実施の形態９における各ネットワーク接続機器のメモリ内部におけるファームウェア更新の推移を示す図である。図３０において、９１２はタイムラプス記録再生装置９０１のメモリ内部を、９１３はネットワークカメラ９０３ａ１，９０３ａ２，９０３ａ３のメモリ内部を、９１４はＤＶＤレコーダ９０２のメモリ内部を、それぞれ示している。図３０の上側に示されるように、予め各メモリ内には現時点での各ファームウェアの最新版が、即ち、メモリ９１２内にはＲｅｃＴｙｐｅ１ファームウェアの“Ｖｅｒ．１．１１”が、メモリ９１３内にはＣａｍＴｙｐｅ３ファームウェアの“Ｖｅｒ．０．５２”が、メモリ９１４内にはＤｖｄＴｙｐｅ２ファームウェアの“Ｖｅｒ．３．３”が、インストールされている。
【０１１６】
ユーザが管理用ツール９２０を操作しファームウェアの組み合わせとして「最新版」を呼び出したとすると、図２９の連携情報９１０ｃ１における「設定優先度」欄の優先度ナンバが「最新版」となり、機器管理装置９０４は「現在のＶｅｒ．」欄に記載されている各機器のファームウェアバージョンと「優先度管理」欄の中で最新版として登録されているファームウェアバージョンとを比較する。
【０１１７】
このときの最新版ファームウェアは、タイムラプス記録再生装置９０１用ファームウェアが“Ｖｅｒ．１．１１”であり、ＤＶＤレコーダ９０２用ファームウェアが“Ｖｅｒ．３．３”であり、カメラ９０３ａ１，９０３ａ２，９０３ａ３，９０３ａ４用ファームウェアが“Ｖｅｒ．０．５３”であり、カメラ９０３ａ１，９０３ａ２，９０３ａ３のバージョンの比較結果が異なるため、連携情報９１０ｃ１において通知フラグが立つこととなる。これにより機器管理装置９０４はカメラ９０３ａ１，９０３ａ２，９０３ａ３に対し“Ｖｅｒ．０．５３”のファームウェアをインストールするよう通知する。この通知を受けたカメラ９０３ａ１，９０３ａ２，９０３ａ３は、機器管理装置９０４からファームウェア“Ｖｅｒ．０．５３”のファームウェアをダウンロードし自身へのインストールを行うため、カメラ９０３ａ１，９０３ａ２，９０３ａ３のメモリ９１３内のみＣａｍＴｙｐｅ３ファームウェアが“Ｖｅｒ．０．５３”へと変化することになる。
【０１１８】
以上説明したように、実施の形態９に係る映像監視システム、機器管理装置９０４、及びネットワーク接続機器によれば、複数のネットワーク接続機器にインストールされているソフトウェアの組み合わせが、最も優先度の高いものになるよう管理されるので、連携して動作する複数のネットワーク接続機器の動作の安定性を向上させることができる。
【０１１９】
また、ネットワーク接続機器にソフトウェアのダウンロードを行う機能を備えたので、ネットワーク接続機器に対するソフトウェアの新規又は更新インストール作業の負担軽減を図ることができる。さらに、機器管理装置に対するソフトウェアの保存作業の負担軽減を図ることができる。
【０１２０】
なお、実施の形態１乃至９において示した各ネットワーク接続機器の接続形態と連携情報の設定値の例は一例に過ぎず、必要に応じて他の設定を格納することができる。
【０１２１】
また、実施の形態１乃至９においては、各ネットワーク接続機器を連携動作させるためのファームウェアの更新を行う場合を説明したが、実施の形態１乃至９において説明した管理方法を各ネットワーク接続機器を動作させるための他のソフトウェアの更新に用いることもできる。
【０１２２】
さらに、実施の形態１乃至９においては、各ネットワーク接続機器に対してソフトウェアを更新インストールする場合を説明したが、実施の形態１乃至９において説明した管理方法を各ネットワーク接続機器に対してソフトウェアを新規インストールするための用いることもできる。
【０１２３】
さらにまた、実施の形態７乃至９においては、機器管理装置としてＰＣを用い、ネットワーク接続機器としてタイムラプス記録再生装置、ＤＶＤレコーダ、ネットワークカメラを用いた場合を説明したが、機器管理装置としてＰＣ以外の装置を用いてもよく、また、ネットワーク接続機器として映像機器以外の機器を用いてもよい。また、実施の形態１乃至９において説明された各構成を組み合わせることによって、他のネットワークシステムを構成することもできる。
【０１２４】
【発明の効果】
以上説明したように、本発明によれば、複数のネットワーク接続機器にインストールされているソフトウェアの組み合わせを、最も優先度の高いものにするよう管理するので、連携して動作する複数のネットワーク接続機器の動作の安定性の向上を図ることができるという効果が得られる。
【０１２５】
また、ネットワーク接続機器にソフトウェアのダウンロードを行う構成を採用した場合には、ソフトウェアのインストール作業の負担軽減を図ることができるという効果が得られる。
【図面の簡単な説明】
【図１】本発明の実施の形態１に係るネットワークシステム（機器管理装置及びネットワーク接続機器を含む）の構成及び動作を概略的に示すブロック図（その１）である。
【図２】本発明の実施の形態１に係るネットワークシステム（機器管理装置及びネットワーク接続機器を含む）の構成及び動作を概略的に示すブロック図（その２）である。
【図３】本発明の実施の形態２に係るネットワークシステム（機器管理装置及びネットワーク接続機器を含む）の構成及び動作を概略的に示すブロック図（その１）である。
【図４】本発明の実施の形態２に係るネットワークシステム（機器管理装置及びネットワーク接続機器を含む）の構成及び動作を概略的に示すブロック図（その２）である。
【図５】本発明の実施の形態３に係るネットワークシステム（機器管理装置及びネットワーク接続機器を含む）の構成及び動作を概略的に示すブロック図（その１）である。
【図６】本発明の実施の形態３に係るネットワークシステム（機器管理装置及びネットワーク接続機器を含む）の構成及び動作を概略的に示すブロック図（その２）である。
【図７】本発明の実施の形態４に係るネットワークシステム（機器管理装置及びネットワーク接続機器を含む）の構成及び動作を概略的に示すブロック図（その１）である。
【図８】本発明の実施の形態４に係るネットワークシステム（機器管理装置及びネットワーク接続機器を含む）の構成及び動作を概略的に示すブロック図（その２）である。
【図９】本発明の実施の形態５に係るネットワークシステム（機器管理装置及びネットワーク接続機器を含む）の構成及び動作を概略的に示すブロック図（その１）である。
【図１０】本発明の実施の形態５に係るネットワークシステム（機器管理装置及びネットワーク接続機器を含む）の構成及び動作を概略的に示すブロック図（その２）である。
【図１１】本発明の実施の形態６に係るネットワークシステム（機器管理装置及びネットワーク接続機器を含む）の構成及び動作を概略的に示すブロック図（その１）である。
【図１２】本発明の実施の形態６に係るネットワークシステム（機器管理装置及びネットワーク接続機器を含む）の構成及び動作を概略的に示すブロック図（その２）である。
【図１３】本発明の実施の形態６に係るネットワークシステム（機器管理装置及びネットワーク接続機器を含む）の構成及び動作を概略的に示すブロック図（その３）である。
【図１４】本発明の実施の形態７に係る映像監視システム（機器管理装置としてのＰＣ及びネットワーク接続機器を含む）の構成及び動作を説明するための図である。
【図１５】本発明の実施の形態７乃至９における機器管理装置のメモリに格納されている設定内容を説明するための図である。
【図１６】本発明の実施の形態７における機器管理装置のモニターにネットワーク接続機器管理用ツールを用いて表示された画像（ネットワーク接続機器の一覧を含むすユーザインタフェース）を概略的に示す図である。
【図１７】本発明の実施の形態７における機器管理装置のメモリに保存された各ネットワーク接続機器用のファームウェアの占有状態を示した図である。
【図１８】本発明の実施の形態７における機器管理装置のモニターにネットワーク接続機器管理用ツールを用いて表示された画像（優先度を設定するための画像）を概略的に示す図である。
【図１９】本発明の実施の形態７における機器管理装置のメモリに保存された連携設定を説明するための図である。
【図２０】本発明の実施の形態７における各ネットワーク接続機器にインストールされているファームウェアの推移を示す図である。
【図２１】本発明の実施の形態８に係る映像監視システム（機器管理装置としてのＰＣ及びネットワーク接続機器を含む）の構成及び動作を説明するための図である。
【図２２】本発明の実施の形態８における機器管理装置のメモリに保存された各ネットワーク接続機器用のファームウェアの占有状態の変化を示す図である。
【図２３】本発明の実施の形態８における機器管理装置のモニターにネットワーク接続機器管理用ツールを用いて表示された画像（優先度を設定するための画像）を概略的に示す図である。
【図２４】本発明の実施の形態８における機器管理装置のメモリに保存された連携設定を説明するための図である。
【図２５】本発明の実施の形態８における各ネットワーク接続機器にインストールされているファームウェアの推移を示す図である。
【図２６】本発明の実施の形態９に係る映像監視システム（機器管理装置としてのＰＣ及びネットワーク接続機器を含む）の構成及び動作を説明するための図である。
【図２７】本発明の実施の形態９における機器管理装置のモニターにネットワーク接続機器管理用ツールを用いて表示された画像（ネットワーク接続機器の一覧を含むすユーザインタフェース）を概略的に示す図である。
【図２８】本発明の実施の形態９における機器管理装置のメモリに保存された各ネットワーク接続機器用のファームウェアの占有状態の変化を示す図である。
【図２９】本発明の実施の形態９における機器管理装置のメモリに保存された連携設定の変化を示す図である。
【図３０】本発明の実施の形態９における各ネットワーク接続機器にインストールされているファームウェアの推移を示す図である。
【符号の説明】
１〜６  ネットワークシステム、  １０１，１０２，２０１，２０２，３０１，３０２，４０１，４０２，５０１，５０２，６０１，６０２，６０３  ネットワーク接続機器、  １２０  ネットワーク、  １１０，２１０，３１０，４１０，５１０，６１０  機器管理装置、  １１０ａ，２１０ａ，３１０ａ，４１０ａ，５１０ａ，６１０ａ  ＲＯＭ、  １１０ｂ，２１０ｂ，３１０ｂ，４１０ｂ，５１０ｂ，６１０ｂ  ＨＤＤ、  ７０１，８０１，９０１  タイムラプス記録再生装置、  ７０２，８０２，９０２  ＤＶＤレコーダ、  ７０３ａ１，７０３ａ２，７０３ａ３，７０３ａ４，８０３ａ１，８０３ａ２，８０３ａ３，８０３ａ４，９０３ａ１，９０３ａ２，９０３ａ３，９０３ａ４  ネットワークカメラ、７０４，８０４，９０４  機器管理装置、  ７０５，８０５，９０５  ネットワーク、  ７０６ａ，８０６ａ，９０６ａ  メディア読取装置、  ７０６ｂ，８０６ｂ  メディア、  ７１０ａ  機器設定、  ７１０ｂ  ネットワーク設定、  ７１０ｃ  連携設定、  ７１０ｃ１，８１０ｃ１，９１０ｃ１  連携情報、  ７１１，８１１，９１１  ＲＯＭ、  ７１２，８１２，９１２  タイムラプス記録再生装置内部のＲＯＭ、  ７１３，８１３，９１３  ネットワークカメラ内部のＲＯＭ、  ７１４，８１４，９１４  ＤＶＤレコーダ内部のＲＯＭ、  ７２０，８２０，９２０  ネットワーク接続機器管理用ツール、  ７２０ａ，８２０ａ，９２０ａ  組み合わせ優先度設定ウィンドウ。
【図１】
2004252704.tif 000003
【図２】
2004252704.tif 000004
【図３】
2004252704.tif 000005
【図４】
2004252704.tif 000006
【図５】
2004252704.tif 000007
【図６】
2004252704.tif 000008
【図７】
2004252704.tif 000009
【図８】
2004252704.tif 000010
【図９】
2004252704.tif 000011
【図１０】
2004252704.tif 000012
【図１１】
2004252704.tif 000013
【図１２】
2004252704.tif 000014
【図１３】
2004252704.tif 000015
【図１４】
2004252704.tif 000016
【図１５】
2004252704.tif 000017
【図１６】
2004252704.tif 000018
【図１７】
2004252704.tif 000019
【図１８】
2004252704.tif 000020
【図１９】
2004252704.tif 000021
【図２０】
2004252704.tif 000022
【図２１】
2004252704.tif 000023
【図２２】
2004252704.tif 000024
【図２３】
2004252704.tif 000025
【図２４】
2004252704.tif 000026
【図２５】
2004252704.tif 000027
【図２６】
2004252704.tif 000028
【図２７】
2004252704.tif 000029
【図２８】
2004252704.tif 000030
【図２９】
2004252704.tif 000031
【図３０】
2004252704.tif 000032